(57)【要約】【課題】文字情報入力の操作性を良くして文字情報の入力を容易にした携帯電話機を提供する。【解決手段】本発明の携帯電話機１は、第１の筺体１１の表示面には液晶タッチパネル２１が設けられ、第２の筺体１２の表示面には液晶タッチパネル２２が設けられ、第３の筺体１３の表示面には液晶タッチパネル２３が設けられ、第４の筺体１４には当該携帯電話機１を構成する電子部品とバッテリとが搭載され、４つの筺体を閉じることによって折り畳むことができ、４つの筺体を開いた状態でかな入力モードが選択された際、液晶タッチパネル２１，２２，２３を用いることにより、かな入力モードに必要な全ての入力キーが携帯電話機１の操作者の指の大きさに適応した大きさで表示され、かな入力モードの文字情報が入力される。【選択図】図４
2013042470.tif 000002
【特許請求の範囲】
【請求項１】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、
この第２の筺体と対峙するよう開閉自在に連結され、表示部と、この表示部の表示面上に配置されて操作者による接触があるとその接触位置を出力するタッチパネルとを含む表示一体型タッチパネル装置が設けられている第３の筺体と、
この第３の筺体と対峙するよう開閉自在に連結され、当該携帯電話機を構成する電子部品とバッテリとが搭載されている第４の筺体と、
を有し、
前記第１の筺体と前記第２の筺体と前記第３の筺体と前記第４の筺体とを閉じることによって折り畳むことができ、
前記第１の筺体と前記第２の筺体と前記第３の筺体と前記第４の筺体とを開いた状態で文字情報入力モードが選択された際、前記第１の筺体の表示一体型タッチパネル装置と前記第２の筺体の表示一体型タッチパネル装置と前記第３の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されることを特徴とする携帯電話機。
【請求項２】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、
この第２の筺体と対峙するよう開閉自在に連結され、表示部と、この表示部の表示面上に配置されて操作者による接触があるとその接触位置を出力するタッチパネルとを含む表示一体型タッチパネル装置が設けられている第３の筺体と、
この第３の筺体と対峙するよう開閉自在に連結され、表示部と、この表示部の表示面上に配置されて操作者による接触があるとその接触位置を出力するタッチパネルとを含む表示一体型タッチパネル装置が設けられている第４の筺体と、
を有し、
前記第１の筺体と前記第２の筺体と前記第３の筺体と前記第４の筺体とを閉じることによって折り畳むことができ、
前記第１の筺体と前記第２の筺体と前記第３の筺体と前記第４の筺体とを開いた状態で文字情報入力モードが選択された際、前記第１の筺体の表示一体型タッチパネル装置と前記第２の筺体の表示一体型タッチパネル装置と前記第３の筺体の表示一体型タッチパネル装置と前記第４の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されることを特徴とする携帯電話機。
【請求項３】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、
この第２の筺体と対峙するよう開閉自在に連結され、表示部と、この表示部の表示面上に配置されて操作者による接触があるとその接触位置を出力するタッチパネルとを含む表示一体型タッチパネル装置が設けられている第３の筺体と、
を有し、
前記第１の筺体と前記第２の筺体と前記第３の筺体とを閉じることによって折り畳むことができ、
前記第１の筺体と前記第２の筺体と前記第３の筺体とを開いた状態で文字情報入力モードが選択された際、前記第１の筺体の表示一体型タッチパネル装置と前記第２の筺体の表示一体型タッチパネル装置と前記第３の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されることを特徴とする携帯電話機。
【請求項４】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、
を有し、
前記第１の筺体と前記第２の筺体とを閉じることによって折り畳むことができ、
前記第１の筺体と前記第２の筺体とを開いた状態で文字情報入力モードが選択された際、前記第１の筺体の表示一体型タッチパネル装置と前記第２の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されることを特徴とする携帯電話機。
【請求項５】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に第２の連結部を介して連結され、表示部と、この表示部の表示面上に配置されて操作者による接触があるとその接触位置を出力するタッチパネルとを含む表示一体型タッチパネル装置が設けられている第３の筺体と、
この第３の筺体と折り曲げ自在に連結されている第３の連結部と、
前記第１の筺体の一端に連結された前記第１の連結部と反対の他端に連結された第１の締結部と、
前記第３の連結部の一端に連結された前記第３の筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行することができ、  前記第１の締結部と前記第２の締結部とが締結解除された状態で文字情報入力モードが選択された際、前記第１の筺体の表示一体型タッチパネル装置と前記第２の筺体の表示一体型タッチパネル装置と前記第３の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されることを特徴とする携帯電話機。
【請求項６】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に第２の連結部を介して連結され、表示部と、この表示部の表示面上に配置されて操作者による接触があるとその接触位置を出力するタッチパネルとを含む表示一体型タッチパネル装置が設けられている第３の筺体と、
この第３の筺体と折り曲げ自在に第３の連結部を介して連結され、表示部と、この表示部の表示面上に配置されて操作者による接触があるとその接触位置を出力するタッチパネルとを含む表示一体型タッチパネル装置が設けられている第４の筺体と、
前記第１の筺体の一端に連結された前記第１の連結部と反対の他端に連結された第１の締結部と、
前記第４の筺体の一端に連結された前記第３の連結部と反対の他端に連結された第２の締結部と、
を有し、
前記第１の締結部と前記第２の締結部とで締結および締結解除の操作ができ、前記第１の締結部と前記第２の締結部とが締結されることにより腕輪として携行することができ、
前記第１の締結部と前記第２の締結部とが締結解除された状態で文字情報入力モードが選択された際、前記第１の筺体の表示一体型タッチパネル装置と前記第２の筺体の表示一体型タッチパネル装置と前記第３の筺体の表示一体型タッチパネル装置と前記第４の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されることを特徴とする携帯電話機。
【請求項７】
前記複数の表示面と反対側の背面に装飾が施されていることを特徴とする請求項５または請求項６に記載の携帯電話機。
【発明の詳細な説明】
【技術分野】
【０００１】  この発明は、例えば携帯電話機において、文字情報の入力を容易にした携帯電話機に関する。
【背景技術】
【０００２】  従来、携帯電話機では１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しくキーが小さいこともあって、例えば高齢者が敬遠するものとなっている。【０００３】  携帯電話機では特にキー打鍵回数が多くなり入力操作性が悪いということでキー数を少なくして入力するキー入力方法が提案されている（例えば特許文献１）。
また、二つ折り式携帯電話機にして表示部とキー部（入力部）とを分けてキー部における個々のキーを大きくしたものもある（例えば特許文献２）【０００４】  しかしながら、このような二つ折り式携帯電話機にしても、表示部はまだまだ小さく、キー部も小さく、特に高齢者には表示部の文字を見るのも、キー部から文字を入力するのも煩わしく操作性が悪かった。
【先行技術文献】
【特許文献】
【０００５】
【特許文献１】  特許公開２００５−４５００号公報
【特許文献２】  特許公開２００４−４８７１９号公報
【発明の概要】
【発明が解決しようとする課題】
【０００６】  上記したように、携帯電話機における表示部と入力部が小さく、表示部の文字を見るのも、入力部から文字を入力するのも煩わしく操作性が悪いという課題があった。
この発明の目的は、文字情報入力の操作性を良くして文字情報の入力を容易にした携帯電話機を提供することである。
【課題を解決するための手段】
【０００７】  そこで、本発明は、音声入力部と音声出力部とを有する携帯電話機であって、表示部と、この表示部の表示面上に配置されて操作者による接触があるとその接触位置を出力するタッチパネルとを含む表示一体型タッチパネル装置が設けられている第１の筺体と、この第１の筺体と対峙するよう開閉自在に連結され、表示部と、この表示部の表示面上に配置されて操作者による接触があるとその接触位置を出力するタッチパネルとを含む表示一体型タッチパネル装置が設けられている第２の筺体と、この第２の筺体と対峙するよう開閉自在に連結され、表示部と、この表示部の表示面上に配置されて操作者による接触があるとその接触位置を出力するタッチパネルとを含む表示一体型タッチパネル装置が設けられている第３の筺体と、この第３の筺体と対峙するよう開閉自在に連結され、当該携帯電話機を構成する電子部品とバッテリとが搭載されている第４の筺体とを有し、前記第１の筺体と前記第２の筺体と前記第３の筺体と前記第４の筺体とを閉じることによって折り畳むことができ、前記第１の筺体と前記第２の筺体と前記第３の筺体と前記第４の筺体とを開いた状態で文字情報入力モードが選択された際、前記第１の筺体の表示一体型タッチパネル装置と前記第２の筺体の表示一体型タッチパネル装置と前記第３の筺体の表示一体型タッチパネル装置とを用いることにより、前記文字情報入力モードに必要な全ての入力キーが前記操作者の指の大きさに適応した大きさで表示され、当該文字情報入力モードの文字情報が入力されるようにしたものである。
【発明の効果】
【０００８】  本発明は、文字情報入力の操作性を良くして文字情報の入力を容易にした携帯電話機を提供することが可能となる。
【図面の簡単な説明】
【０００９】
【図１】本発明の第１の実施形態が適用可能な携帯電話機の一例を示す外観図。
【図２】図１に示す携帯電話機をＡ方向から見た状態を示す外観図。
【図３】図１に示す携帯電話機をＡ方向から見て半分開いた状態を示す外観図。
【図４】携帯電話機の液晶タッチパネルにかな入力モードを表示した例を示す図。
【図５】第２の実施形態に係る携帯電話機の一例を示す外観図。
【図６】第３の実施形態に係る携帯電話機の一例を示す外観図。
【図７】第４の実施形態に係る携帯電話機の一例を示す外観図。
【図８】第５の実施形態に係るヒンジレスの携帯電話機の例を示す外観図。
【図９】第６の実施形態に係る携帯電話機の一例を示す外観図。
【図１０】締結部を締結した状態を示す図。
【図１１】第７の実施形態に係る携帯電話機の一例を示す外観図。
【発明を実施するための形態】
【００１０】  まず、第１の実施形態について説明する。
図１は、この発明に係る携帯電話機１の外観構成を示すものである。すなわち、この携帯電話機１のおもて面には、音声を入力するためのマイクが配置された音声入力部１０と、音声を出力するためのスピーカが配置された音声出力部２０とが設けられている。
なお、図１は、実際の携帯電話機とほぼ同じ寸法で作図されている。例えば、携帯電話機１の本体は、縦の長さが１１０ｍｍ、横幅が５０ｍｍである。
【００１１】  図２は、携帯電話機１を図１のＡ方向から見たものである。携帯電話機１は、第１の筺体１１と、第２の筺体１２と、第３の筺体１３と、第４の筺体１４とから構成されている。
第１の筺体１１と第２の筺体１２とが対峙するよう開閉自在にヒンジ部２を介して連結され、第２の筺体１２と第３の筺体１３とが対峙するよう開閉自在にヒンジ部３を介して連結され、第３の筺体１３と第４の筺体１４とが対峙するよう開閉自在にヒンジ部４を介して連結されている。
なお、第１の筺体１１に上記音声入力部１０と音声出力部２０とが設けられている。
【００１２】  図３は、携帯電話機１の各筺体を半開き状態にして図１のＡ方向から見たものである。第１の筺体１１と第２の筺体１２と第３の筺体１３と第４の筺体１４とで略Ｗの文字に似た状態となる。
第１の筺体１１と第２の筺体１２とはヒンジ部２を介して矢印ａ方向へ開くことができる。第２の筺体１２と第３の筺体１３とはヒンジ部３を介して矢印ｂ方向へ開くことができる。第３の筺体１３と第４の筺体１４とはヒンジ部４を介して矢印ｃ方向へ開くことができる。
【００１３】  すなわち、本発明の携帯電話機１は、四つ折りの屏風のように、４つの筺体を閉じることによって折り畳むことができ、４つの筺体を開いた状態で文字情報が入力される四つ折り式の携帯電話機である。
第１の筺体１１の表示面には、液晶表示装置及びその上に積層された静電容量式タッチパネルとからなる表示一体型タッチパネル装置である液晶タッチパネル２１が設けられている。
【００１４】  第２の筺体１２の表示面には、液晶表示装置及びその上に積層された静電容量式タッチパネルとからなる表示一体型タッチパネル装置である液晶タッチパネル２２が設けられている。
第３の筺体１３の表示面には、液晶表示装置及びその上に積層された静電容量式タッチパネルとからなる表示一体型タッチパネル装置である液晶タッチパネル２３が設けられている。
第４の筺体１４には、携帯電話機１を構成する電子部品（図示せず）とバッテリ（図示せず）とが搭載されている。
【００１５】  図４は、携帯電話機１の各筺体を開いた状態を示すものである。図４において、上述したように、第１の筺体１１は液晶タッチパネル２１、第２の筺体１２は液晶タッチパネル２２、第３の筺体１３は液晶タッチパネル２３とを有している。
なお、図４も実際の携帯電話機とほぼ同じ寸法で作図されている。例えば、液晶タッチパネル２１，２２，２３は、縦４２ｍｍ、横７０ｍｍの大きさである。
【００１６】  次に、携帯電話機１の動作について説明する。
図４は、漢字かな混じりの日本語を入力するための「かな入力モード」が選択されて、ひらがな（文字情報）を入力している状態を示している。
かな入力モードが選択された際、液晶タッチパネル２１，２２，２３を用いることにより、かな入力モードに必要な全ての入力キーが携帯電話機１の操作者（大人から子供までの人）の指の大きさに適応した大きさで表示される。それによって、かな入力（文字情報入力）の操作性を良くしてかな入力モードのひらがな（文字情報）が入力される。なお、かな入力モードに必要な全ての入力キーは、例えば、図４に示すようなキー群（あ、い、う、・・・等）である。
【００１７】  また、液晶タッチパネル２１，２２，２３は入力キーが互いに関連して表示され、携帯電話機１の操作者の指が表示された入力キーのタッチパネルに触れる（接触）ことにより、接触位置からひらがな（文字情報）が入力される。
【００１８】  例えば、図４における入力キーは、１つが縦１０ｍｍ、横１４ｍｍで表示される。このように、従来の携帯電話機では実現できなかった携帯電話機１の操作者の指の大きさに適応（対応）した大きさの入力キーを表示することができる。なお、図４に示した入力キーの大きさは、固定したものではなく、操作者（大人から子供までの人）の指の大きさに適応した大きさに変更されて表示されるようにしてもよい。この場合、予め変更しておいてもよく、液晶タッチパネル２１，２２，２３から直接変更するようにしてもよい。
【００１９】  また、図４に示したような「かな入力モード（文字情報入力モード）」のほかに、「数字入力モード（文字情報入力モード）」、「英字入力モード（文字情報入力モード）」、さらにドイツ語、ハングル語等の外国語文字入力モード（文字情報入力モード）にも対応することができる。
【００２０】  すなわち、文字情報入力コードが選択された際、液晶タッチパネル２１，２２，２３を用いることにより、選択された文字情報入力モードに必要な全ての入力キーが携帯電話機１の操作者の指の大きさに適応した大きさで表示される。それによって、文字情報入力の操作性を良くして当該文字情報入力モードの文字情報が入力される。
【００２１】  「かな入力モード」に必要な全ての入力キーは図４に示す例では５０個であるが、「数字入力モード」、「英字入力モード」、さらに外国語文字入力モードでは必要な全ての入力キーの数は５０個より少ないので、携帯電話機１の操作者の指の大きさに適応した大きさで表示されることは可能である。
【００２２】  なお、入力キーの大きさは、固定したものではなく、操作者（大人から子供までの人）の指の大きさに適応した大きさに変更されて表示されるようにしてもよい。この場合、予め変更しておいてもよく、液晶タッチパネル２１，２２，２３から直接変更するようにしてもよい。
【００２３】  本発明者（大人）が透明の定規に指を接触した場合、その接触範囲はおおよそ縦５ｍｍで横５ｍｍであった。この結果、上述した操作者（大人から子供までの人）の指の大きさに適応（対応）した大きさの入力キーとするには、接触範囲の誤差を考慮すると、一つの入力キーが少なくとも縦７ｍｍ以上で横７ｍｍ以上の大きさであることが望ましい。しかしながら、操作性を考慮すると、一つの入力キーは縦１０ｍｍ以上で横１０ｍｍ以上の大きさが望ましい。また、表示すべき入力キー数と液晶タッチパネルの総表示面の大きさとに制限されるが、操作性を考慮して、一つの入力キーは縦３０ｍｍ以下で横３０ｍｍ以下とするのが望ましい。図４における１つの入力キーの大きさは、縦１０ｍｍで横１４ｍｍであるので十分に適応している。
【００２４】  次に、第２の実施形態について説明する。
図５に示す第２の実施形態の携帯電話機３０は、４つの筺体に４つの液晶タッチパネルを設けたものである。なお、第１の実施形態の携帯電話機１と同一箇所には同一符号を付して説明を省略する。
図５は、携帯電話機３０の各筺体を開いた状態を示すもので、第１の筺体１１と第２の筺体１２とが対峙するよう開閉自在にヒンジ部２を介して連結され、第２の筺体１２と第３の筺体１３とが対峙するよう開閉自在にヒンジ部３を介して連結され、第３の筺体１３と第４の筺体１４とが対峙するよう開閉自在にヒンジ部４を介して連結されている。
【００２５】  すなわち、本発明の携帯電話機３０は、四つ折りの屏風のように、４つの筺体を閉じることによって折り畳むことができ、４つの筺体を開いた状態で文字情報が入力される四つ折り式の携帯電話機である。
第１の筺体１１の表示面には、液晶表示装置及びその上に積層された静電容量式タッチパネルとからなる表示一体型タッチパネル装置である液晶タッチパネル３１が設けられている。
【００２６】  第２の筺体１２の表示面には、液晶表示装置及びその上に積層された静電容量式タッチパネルとからなる表示一体型タッチパネル装置である液晶タッチパネル３２が設けられている。
第３の筺体１３の表示面には、液晶表示装置及びその上に積層された静電容量式タッチパネルとからなる表示一体型タッチパネル装置である液晶タッチパネル３３が設けられている。
第４の筺体１４の表示面には、液晶表示装置及びその上に積層された静電容量式タッチパネルとからなる表示一体型タッチパネル装置である液晶タッチパネル３４が設けられている。
【００２７】  なお、図５も実際の携帯電話機とほぼ同じ寸法で作図されている。例えば、液晶タッチパネル３１，３２，３３，３４は、縦４２ｍｍ、横８０ｍｍの大きさである。
また、図５は、漢字かな混じりの日本語を入力するための「かな入力モード（文字情報入力コード）」が選択されて、ひらがな（文字情報）を入力している状態を示している。
例えば、図５における入力キーは、１つが縦１４ｍｍ、横１６ｍｍで表示される。液晶タッチパネルを１つ増やすことにより、第１の実施形態の携帯電話機１に比べ、より大きい入力キーを表示することができる。
【００２８】  次に、携帯電話機３０の動作について説明する。
第１の実施形態の携帯電話機１が３つの液晶タッチパネルを用いるのに対して、本携帯電話機３０は４つの液晶タッチパネルを用いることが異なっているだけなので文字情報の入力動作の説明は省略する。
【００２９】  図５において、携帯電話機３０は、第１の筺体１１と第２の筺体１２と第３の筺体１３と第４の筺体１４とを開いた状態でかな入力モード（文字情報入力モード）が選択された際、液晶タッチパネル３１，３２，３３，３４を用いることにより、かな入力モード（当該文字情報入力モード）に必要な全ての入力キーが携帯電話機３０の操作者の指の大きさに適応した大きさで表示され、かな入力モード（当該文字情報入力モード）の文字情報が入力される。
【００３０】  なお、液晶タッチパネル３１，３２，３３，３４は入力キーが互いに関連して表示され、携帯電話機３０の操作者の指が表示された入力キーのタッチパネルに触れる（接触）ことにより、接触位置からひらがな（文字情報）が入力される。
【００３１】  また、図５に示した入力キーの大きさは、固定したものではなく、操作者（大人から子供までの人）の指の大きさに適応した大きさに変更されて表示されるようにしてもよい。この場合、予め変更しておいてもよく、液晶タッチパネル３１，３２，３３，３４から直接変更するようにしてもよい。
【００３２】  次に、第３の実施形態について説明する。
図６に示す第３の実施形態の携帯電話機４０は、３つの筺体に３つの液晶タッチパネルを設けたものである。なお、第１の実施形態の携帯電話機１と同一箇所には同一符号を付して説明を省略する。
図６は、携帯電話機４０の各筺体を開いた状態を示すもので、第１の筺体１１と第２の筺体１２とが対峙するよう開閉自在にヒンジ部２を介して連結され、第２の筺体１２と第３の筺体１３とが対峙するよう開閉自在にヒンジ部３を介して連結されている。
【００３３】  すなわち、本発明の携帯電話機４０は、三つ折りの屏風のように、３つの筺体を閉じることによって折り畳むことができ、３つの筺体を開いた状態で文字情報が入力される三つ折り式の携帯電話機である。
第１の筺体１１の表示面には、液晶表示装置及びその上に積層された静電容量式タッチパネルとからなる表示一体型タッチパネル装置である液晶タッチパネル４１が設けられている。
【００３４】  第２の筺体１２の表示面には、液晶表示装置及びその上に積層された静電容量式タッチパネルとからなる表示一体型タッチパネル装置である液晶タッチパネル４２が設けられている。
第３の筺体１３の表示面には、液晶表示装置及びその上に積層された静電容量式タッチパネルとからなる表示一体型タッチパネル装置である液晶タッチパネル４３が設けられている。
【００３５】  なお、図６も実際の携帯電話機とほぼ同じ寸法で作図されている。例えば、液晶タッチパネル４１，４２，４３は、縦４２ｍｍ、横７０ｍｍの大きさである。
また、図６は、漢字かな混じりの日本語を入力するための「かな入力モード（文字情報入力コード）」が選択されて、ひらがな（文字情報）を入力している状態を示している。例えば、図６における入力キーは、１つが縦１０ｍｍ、横１４ｍｍで表示される。
【００３６】  次に、携帯電話機４０の動作について説明する。
第１の実施形態の携帯電話機１が３つの液晶タッチパネルを用いるのに対して、本携帯電話機４０も３つの液晶タッチパネルを用いるので文字情報の入力動作の説明は省略する。
【００３７】  図６において、携帯電話機４０は、第１の筺体１１と第２の筺体１２と第３の筺体１３とを開いた状態でかな入力モード（文字情報入力モード）が選択された際、液晶タッチパネル４１，４２，４３を用いることにより、かな入力モード（当該文字情報入力モード）に必要な全ての入力キーが携帯電話機４０の操作者の指の大きさに適応した大きさで表示され、かな入力モード（当該文字情報入力モード）の文字情報が入力される。
【００３８】  なお、液晶タッチパネル４１，４２，４３は入力キーが互いに関連して表示され、携帯電話機４０の操作者の指が表示された入力キーのタッチパネルに触れる（接触）ことにより、接触位置からひらがな（文字情報）が入力される。
【００３９】  また、図６に示した入力キーの大きさは、固定したものではなく、操作者（大人から子供までの人）の指の大きさに適応した大きさに変更されて表示されるようにしてもよい。この場合、予め変更しておいてもよく、液晶タッチパネル４１，４２，４３から直接変更するようにしてもよい。
【００４０】  次に、第４の実施形態について説明する。
第４の実施形態は、二つ折り式の携帯電話機である。
図７に示す第４の実施形態の携帯電話機５０は、２つの筺体に２つの液晶タッチパネルを設けたものであり、第１の筺体５１と第２の筺体５２とが対峙するよう開閉自在にヒンジ部５３を介して連結されている。
【００４１】  すなわち、本発明の携帯電話機５０は、二つ折りの屏風のように、２つの筺体を閉じることによって折り畳むことができ、２つの筺体を開いた状態で文字情報が入力される二つ折り式の携帯電話機である。
第１の筺体５１の表示面には、液晶表示装置及びその上に積層された静電容量式タッチパネルとからなる表示一体型タッチパネル装置である液晶タッチパネル５４が設けられている。
第２の筺体５２の表示面には、液晶表示装置及びその上に積層された静電容量式タッチパネルとからなる表示一体型タッチパネル装置である液晶タッチパネル５５が設けられている。
【００４２】  なお、図７も実際の携帯電話機とほぼ同じ寸法で作図されている。例えば、液晶タッチパネル５４，５５は、縦７４ｍｍ、横５０ｍｍの大きさである。
また、図７は、漢字かな混じりの日本語を入力するための「かな入力モード（文字情報入力コード）」が選択されて、ひらがな（文字情報）を入力している状態を示している。例えば、図７における入力キーは、１つが縦１０ｍｍ、横１０ｍｍで表示される。
【００４３】  次に、携帯電話機５０の動作について説明する。
第１の実施形態の携帯電話機１が３つの液晶タッチパネルを用いるのに対して、本携帯電話機５０は２つの液晶タッチパネルを用いることが異なっているだけなので文字情報の入力動作の説明は省略する。
【００４４】  図７において、携帯電話機５０は、第１の筺体５１と第２の筺体５２とを開いた状態でかな入力モード（文字情報入力モード）が選択された際、液晶タッチパネル５４，５５を用いることにより、かな入力モード（当該文字情報入力モード）に必要な全ての入力キーが携帯電話機５０の操作者の指の大きさに適応した大きさで表示され、かな入力モード（当該文字情報入力モード）の文字情報が入力される。
【００４５】  なお、液晶タッチパネル５４，５５は入力キーが互いに関連して表示され、携帯電話機５０の操作者の指が表示された入力キーのタッチパネルに触れる（接触）ことにより、接触位置からひらがな（文字情報）が入力される。
【００４６】  また、図７に示した入力キーの大きさは、固定したものではなく、操作者（大人から子供までの人）の指の大きさに適応した大きさに変更されて表示されるようにしてもよい。この場合、予め変更しておいてもよく、液晶タッチパネル５４，５５から直接変更するようにしてもよい。
【００４７】  また、本第４の実施形態における二つ折り式の携帯電話機では２つの筺体に２つの液晶タッチパネルを設けたが、三つ折り式の携帯電話機にして３つの筺体に２つの液晶タッチパネルを設けてもよく、四つ折り式の携帯電話機にして４つの筺体に２つの液晶タッチパネルを設けてもよい。
【００４８】  次に、第５の実施形態について説明する。
第５の実施形態は、ヒンジレスの携帯電話機である。
図８は、ヒンジレスの携帯電話機６０の例を示すもので、筺体６５の全体が一体化している。すなわち、筺体６５は、液晶タッチパネル６１が設けられている第１の筺体部（第１の筺体）６５ａ、折り曲げ部６５ｂ、液晶タッチパネル６２が設けられている第２の筺体部（第２の筺体）６５ｃ、折り曲げ部６５ｄ、液晶タッチパネル６３が設けられている第３の筺体部（第３の筺体）６５ｅ、折り曲げ部６５ｆ、携帯電話機６０を構成する電子部品（図示せず）とバッテリ（図示せず）とが搭載されている第４の筺体部（第４の筺体）６５ｇとから構成されている。
【００４９】  また、筺体６５は、比較的柔らかい樹脂で構成されているので折り曲げ部６５ｂ，６５ｄ，６５ｆで各筺体部を折り曲げることができる。その結果、４つの筺体を閉じることによって折り畳むことができ、４つの筺体を開いた状態で文字情報が入力される四つ折り式でヒンジレスの携帯電話機６０を実現することができる。
なお、上述した第１の実施形態、第２の実施形態、第３の実施形態、第４の実施形態にも適用してヒンジレスの携帯電話機を実現することができる。
【００５０】  次に、第６の実施形態について説明する。
第６の実施形態は、ブレスレット型の携帯電話機である。
図９に示す第６の実施形態の携帯電話機７０は、３つの筺体に３つの液晶パネルを設けたものである。
【００５１】  携帯電話機７０には、音声を入力するためのマイクが配置された音声入力部１０と、音声を出力するためのスピーカが配置された音声出力部２０が設けられている。なお、設定により音声出力部２０からの出力を大きくして音声出力部２０に耳を当てることなくハンズフリーで通話することができる。
【００５２】  本携帯電話機７０は、第１の筺体７１、第２の筺体７２、第３の筺体７３とから構成されている。
そして、携帯電話機７０は、第１の筺体７１と第２の筺体７２とが折り曲げ自在にヒンジ部７ａと中間部７ｂとヒンジ部７ｃとを介して連結され、第２の筺体７２と第３の筺体７３とが折り曲げ自在にヒンジ部８ａと中間部８ｂとヒンジ部８ｃとを介して連結され、第３の筺体７３が折り曲げ自在にヒンジ部９ａと中間部９ｂとヒンジ部９ｃと中間部９ｄとを介して連結されている。
【００５３】  また、ヒンジ部７ａと中間部７ｂとヒンジ部７ｃとは、総称して以下に連結部７として記述する。ヒンジ部８ａと中間部８ｂとヒンジ部８ｃとは、総称して以下に連結部８として記述する。ヒンジ部９ａと中間部９ｂとヒンジ部９ｃと中間部９ｄとは、総称して以下に連結部９として記述する。
なお、連結部７，８，９には、携帯電話機７０を構成する電子部品（図示せず）とバッテリ（図示せず）とを搭載するようにしてもよい。
【００５４】  第１の筺体７１の表示面（表示部）には、液晶表示装置及びその上に積層された静電容量式タッチパネルとからなる表示一体型タッチパネル装置である液晶タッチパネル８１が設けられている。
【００５５】  第２の筺体７２の表示面（表示部）には、液晶表示装置及びその上に積層された静電容量式タッチパネルとからなる表示一体型タッチパネル装置である液晶タッチパネル８２が設けられている。
第３の筺体７３の表示面（表示部）には、液晶表示装置及びその上に積層された静電容量式タッチパネルとからなる表示一体型タッチパネル装置である液晶タッチパネル８３が設けられている。
【００５６】  さらに、携帯電話機７０は、第１の筺体７１の一端に連結された連結部７と反対の他端に連結された締結部５、中間部９ｄの一端に連結されたヒンジ部９ｃと反対の他端に連結された締結部６とが設けられている。締結部５と締結部６とは、携帯電話機７０を折り曲げて丸めることにより、締結および締結解除の操作が可能で図９は締結解除の状態を示している。
【００５７】  図１０は、携帯電話機７０を折り曲げて丸めることにより、締結部５と締結部６とを締結した状態で、図９におけるＢ方向から見た状態を示すものである。
すなわち、図１０に示すように本携帯電話機７０は、締結部５と締結部６とを締結して腕（手首）に装着することが可能なものであり、腕輪（ブレスレッド）として携行することができる。すなわち、本携帯電話機７０はブレスレット型の携帯電話機である。
この際、第１の筺体７１、第２の筺体７２、第３の筺体７３の表示面を外側にして腕（手首）に装着した場合、携帯電話機７０の表示機能を腕（手首）に装着したまま視認することができる。
【００５８】  また、第１の筺体７１、第２の筺体７２、第３の筺体７３の表示面と反対の背面を外側にして腕（手首）に装着した場合、携帯電話機７０の背面に装飾（例えば、デコレーション携帯にする）を施しておシャレに携帯電話機７０の携行を楽しむことができる。この場合、表示面が腕（手首）に直接触れないように予め手首にリストバンドを装着し、その上から携帯電話機７０を装着すればよく、それもまたファッションの一部となる。例えば、携帯電話機７０の筺体の横の長さが７０ｍｍであるので、リストバンドの長さを７０ｍｍ以上にすれば表示面が直接腕（手首）に触れることがなくなる。
【００５９】  なお、このような目的から腕（手首）周りに合わせて締結部５と締結部６の長さは変えることができる。また、連結部７，８，９は、上述した構成でなくてもよく、要は腕（手首）に装着し易くできればよい。
【００６０】  図９も実際の携帯電話機とほぼ同じ寸法で作図されている。例えば、第１の筺体７１と第２の筺体７２と第３の筺体７３とは、図上で縦の長さが４０ｍｍ、横の長さが７０ｍｍである。また、液晶タッチパネル８１と液晶タッチパネル８２と液晶タッチパネル８３とは、図上で縦の長さが３２ｍｍ、横の長さが５０ｍｍである。
また、図９は、漢字かな混じりの日本語を入力するための「かな入力モード（文字情報入力コード）」が選択されて、ひらがな（文字情報）を入力している状態を示している。例えば、図９における入力キーは、１つが縦８ｍｍ、横１０ｍｍで表示される。
【００６１】  次に、携帯電話機７０の動作について説明する。
第１の実施形態の携帯電話機１が３つの液晶タッチパネルを用いるのに対して、本携帯電話機７０も３つの液晶タッチパネルを用いるので文字情報の入力動作の説明は省略する。
図９において、携帯電話機７０は、締結部５と締結部６とで締結および締結解除の操作ができ、締結部５と締結部と６が締結されることにより腕輪として携行することができる。
【００６２】  また、図９において、携帯電話機７０は、締結部５と締結部６とが締結解除された状態でかな入力モード（文字情報入力モード）が選択された際、液晶タッチパネル８１，８２，８３を用いることにより、かな入力モード（当該文字情報入力モード）に必要な全ての入力キーが携帯電話機７０の操作者の指の大きさに適応した大きさで表示され、かな入力モード（当該文字情報入力モード）の文字情報が入力される。
【００６３】  なお、液晶タッチパネル８１，８２，８３は入力キーが互いに関連して表示され、携帯電話機７０の操作者の指が表示された入力キーのタッチパネルに触れる（接触）ことにより、接触位置からひらがな（文字情報）が入力される。
【００６４】  また、図９に示した入力キーの大きさは、固定したものではなく、操作者（大人から子供までの人）の指の大きさに適応した大きさに変更されて表示されるようにしてもよい。この場合、予め変更しておいてもよく、液晶タッチパネル８１，８２，８３から直接変更するようにしてもよい。
【００６５】  次に、第７の実施形態について説明する。
第７の実施形態もブレスレット型の携帯電話機である。
図１１に示す第７の実施形態の携帯電話機９０は、４つの筺体に４つの液晶パネルを設けたものである。なお、第６の実施形態の携帯電話機７０と同一箇所には同一符号を付して説明を省略する。
【００６６】  図１１に示す携帯電話機９０は、第１の筺体７１、第２の筺体７２、第３の筺体７３、第４の筺体７４とから構成されている。
そして、携帯電話機９０は、第１の筺体７１と第２の筺体７２とが折り曲げ自在にヒンジ部７ａと中間部７ｂとヒンジ部７ｃとを介して連結され、第２の筺体７２と第３の筺体７３とが折り曲げ自在にヒンジ部８ａと中間部８ｂとヒンジ部８ｃとを介して連結され、第３の筺体７３と第４の筺体７４とが折り曲げ自在にヒンジ部９ａと中間部９ｂとヒンジ部９ｃとを介して連結されている。
【００６７】  また、ヒンジ部７ａと中間部７ｂとヒンジ部７ｃとは、総称して以下に連結部７として記述する。ヒンジ部８ａと中間部８ｂとヒンジ部８ｃとは、総称して以下に連結部８として記述する。ヒンジ部９ａと中間部９ｂとヒンジ部９ｃとは、総称して以下に連結部９として記述する。
なお、連結部７，８，９には、携帯電話機９０を構成する電子部品（図示せず）とバッテリ（図示せず）とを搭載するようにしてもよい。
【００６８】  第１の筺体７１の表示面（表示部）には、液晶表示装置及びその上に積層された静電容量式タッチパネルとからなる表示一体型タッチパネル装置である液晶タッチパネル８１が設けられている。
【００６９】  第２の筺体７２の表示面（表示部）には、液晶表示装置及びその上に積層された静電容量式タッチパネルとからなる表示一体型タッチパネル装置である液晶タッチパネル８２が設けられている。
第３の筺体７３の表示面（表示部）には、液晶表示装置及びその上に積層された静電容量式タッチパネルとからなる表示一体型タッチパネル装置である液晶タッチパネル８３が設けられている。
第４の筺体７４の表示面（表示部）には、液晶表示装置及びその上に積層された静電容量式タッチパネルとからなる表示一体型タッチパネル装置である液晶タッチパネル８４が設けられている。
【００７０】  さらに、携帯電話機７０は、第１の筺体７１の一端に連結された連結部７と反対の他端に連結された締結部５、第４の筺体７４の一端に連結された連結部９と反対の他端に連結された締結部６とが設けられている。締結部５と締結部６とは、携帯電話機９０を折り曲げて丸めることにより、締結および締結解除の操作が可能で図１１は締結解除の状態を示している。
【００７１】  第１の筺体７１、第２の筺体７２、第３の筺体７３、第４の筺体７４の表示面を外側にして腕（手首）に装着した場合、携帯電話機９０の表示機能を腕（手首）に装着したまま視認することができる。
【００７２】  また、第１の筺体７１、第２の筺体７２、第３の筺体７３、第４の筺体７４の表示面と反対の背面を外側にして腕（手首）に装着した場合、携帯電話機９０の背面に装飾（例えば、デコレーション携帯にする）を施しておシャレに携帯電話機９０の携行を楽しむことができる。この場合、表示面が腕（手首）に直接触れないように予め手首にリストバンドを装着し、その上から携帯電話機７０を装着すればよく、それもまたファッションの一部となる。例えば、携帯電話機７０の筺体の横の長さが７０ｍｍであるので、リストバンドの長さを７０ｍｍ以上にすれば表示面が直接腕（手首）に触れることがなくなる。
【００７３】  なお、このような目的から腕（手首）周りに合わせて締結部５と締結部６の長さは変えることができる。また、連結部７，８，９は、上述した構成でなくてもよく、要は腕（手首）に装着し易くできればよい。
【００７４】  図１１も実際の携帯電話機とほぼ同じ寸法で作図されている。例えば、第１の筺体７１と第２の筺体７２と第３の筺体７３と第４の筺体７４とは、図上で縦の長さが３８ｍｍ、横の長さが７０ｍｍである。また、液晶タッチパネル８１と液晶タッチパネル８２と液晶タッチパネル８３と液晶タッチパネル８４とは、図上で縦の長さが３０ｍｍ、横の長さが５０ｍｍである。
また、図１１は、漢字かな混じりの日本語を入力するための「かな入力モード（文字情報入力コード）」が選択されて、ひらがな（文字情報）を入力している状態を示している。例えば、図１１における入力キーは、１つが縦１０ｍｍ、横１０ｍｍで表示される。
【００７５】  次に、携帯電話機９０の動作について説明する。
第１の実施形態の携帯電話機１が３つの液晶タッチパネルを用いるのに対して、本携帯電話機９０は４つの液晶タッチパネルを用いることが異なっているだけなので文字情報の入力動作の説明は省略する。
そして、携帯電話機９０は、締結部５と締結部６とで締結および締結解除の操作ができ、締結部５と締結部と６が締結されることにより腕輪として携行することができる。
【００７６】  また、図１１において、携帯電話機９０は、締結部５と締結部６とが締結解除された状態でかな入力モード（文字情報入力モード）が選択された際、液晶タッチパネル８１，８２，８３，８４を用いることにより、かな入力モード（当該文字情報入力モード）に必要な全ての入力キーが携帯電話機９０の操作者の指の大きさに適応した大きさで表示され、かな入力モード（当該文字情報入力モード）の文字情報が入力される。
【００７７】  なお、液晶タッチパネル８１，８２，８３，８４は入力キーが互いに関連して表示され、携帯電話機９０の操作者の指が表示された入力キーのタッチパネルに触れる（接触）ことにより、接触位置からひらがな（文字情報）が入力される。
【００７８】  また、図１１に示した入力キーの大きさは、固定したものではなく、操作者（大人から子供までの人）の指の大きさに適応した大きさに変更されて表示されるようにしてもよい。この場合、予め変更しておいてもよく、液晶タッチパネル８１，８２，８３，８４から直接変更するようにしてもよい。
【００７９】  以上説明したように上記実施形態によれば、携帯電話機を四つ折り式にして液晶タッチパネルを３つ用いて携帯電話機の操作者の指の大きさに適応（対応）した大きさの入力キーを表示することにより、操作性を向上させることができる。
また、携帯電話機を四つ折り式にして液晶タッチパネルを４つ用いて携帯電話機の操作者の指の大きさに適応（対応）した大きさの入力キーを表示することにより、操作性を向上させることができる。
また、携帯電話機を三つ折り式にして液晶タッチパネルを３つ用いて携帯電話機の操作者の指の大きさに適応（対応）した大きさの入力キーを表示することにより、操作性を向上させることができる。
また、携帯電話機を二つ折り式にして液晶タッチパネルを２つ用いて携帯電話機の操作者の指の大きさに適応（対応）した大きさの入力キーを表示することにより、操作性を向上させることができる。
【００８０】  また、携帯電話機をブレスレット型にして液晶タッチパネルを３つ用いて携帯電話機の操作者の指の大きさに適応（対応）した大きさの入力キーを表示することにより、操作性を向上させることができる。
また、携帯電話機をブレスレット型にして液晶タッチパネルを４つ用いて携帯電話機の操作者の指の大きさに適応（対応）した大きさの入力キーを表示することにより、操作性を向上させることができる。
【００８１】  また、携帯電話機と同じようなＰＨＳ，タブレット端末等の携帯端末に応用することも可能である。
また、ひらがなだけでなく、英語のアルファベット、ドイツ語、ハングル語等の外国語文字（文字情報）にも対応することができる。
なお、上記実施形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
【００８２】  また、操作者（大人から子供までの人）の指の大きさに適応（対応）した大きさの入力キーとするには、接触範囲の誤差を考慮すると、一つの入力キーが少なくとも縦７ｍｍ以上で横７ｍｍ以上の大きさであることが望ましい。しかしながら、操作性を考慮すると、一つの入力キーは縦１０ｍｍ以上で横１０ｍｍ以上の大きさが望ましい。また、表示すべき入力キー数と液晶タッチパネルの総表示面の大きさとに制限されるが、操作性を考慮して、一つの入力キーは縦３０ｍｍ以下で横３０ｍｍ以下とするのが望ましい。
なお、上述した入力キーは、正方形・長方形・菱形等の方形、四隅を丸めた角丸方形、円形、楕円形等、必要に応じて表示できるので形状を限定されるものではなく、要は、文字情報入力の操作性を良くして文字情報の入力を容易にできればよい。
【００８３】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００８４】  １，３０，４０，５０，６０，７０，９０…携帯電話機、２，３，４，５３…ヒンジ部、１０…音声入力部、１１，５１…第１の筺体、１２，５２…第２の筺体、１３…第３の筺体、１４…第４の筺体、２０…音声出力部、２１，２２，２３，２４，３１，３２，３３，３４，４１，４２，４３，５４，５５，６１，６２，６３，８１，８２，８３，８４…液晶タッチパネル（表示一体型タッチパネル装置）、６５…筺体。
【図１】
2013042470.tif 000003
【図２】
2013042470.tif 000004
【図３】
2013042470.tif 000005
【図４】
2013042470.tif 000006
【図５】
2013042470.tif 000007
【図６】
2013042470.tif 000008
【図７】
2013042470.tif 000009
【図８】
2013042470.tif 000010
【図９】
2013042470.tif 000011
【図１０】
2013042470.tif 000012
【図１１】
2013042470.tif 000013